【手続補正書】
【提出日】平成24年3月7日(2012.3.7)
【手続補正１】
【補正対象書類名】明細書
【補正対象項目名】発明の名称
【補正方法】変更
【補正の内容】
【発明の名称】表示装置、画像表示制御プログラム及び画像表示方法
【手続補正２】
【補正対象書類名】明細書
【補正対象項目名】０００１
【補正方法】変更
【補正の内容】
【０００１】
本発明は、表示装置、画像表示制御プログラム及び画像表示方法に関するものである。
【手続補正３】
【補正対象書類名】明細書
【補正対象項目名】００１０
【補正方法】変更
【補正の内容】
【００１０】
本発明は、かかる従来の課題に鑑みてなされたものであり、ＲＧＢ画素が配列されたディスプレイ用補間技術に基づく画像であっても、偽色の発生を伴うことなく表示することのできる表示装置、画像表示制御プログラム及び画像表示方法を提供することを目的とするものである。
【手続補正４】
【補正対象書類名】明細書
【補正対象項目名】００１１
【補正方法】変更
【補正の内容】
【００１１】
前記課題を解決するため請求項１記載の発明に係る表示装置にあっては、表示する画像を取り込む取込手段と、この取込手段により取り込まれた画像中に、ＲＧＢ画素が配列されたディスプレイ用補間技術に基づく画像部分が含まれているか否かを判断する判断手段と、この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、この補正手段により前記画像部分が補正された画像の各画素のＲＧＢ成分を同じ位置に表示する表示手段とを備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、請求項２記載の発明に係る表示装置にあっては、前記判断手段は、特定の領域において、所定割合以上である２色が存在するか否かを判断する第１の判断手段と、この第１の判断手段により、所定割合以上である２色が存在すると判断された場合に、それ以外の色が前記２色の境界部分に存在するか否かを判断する第２の判断手段とを備えることを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、請求項３記載の発明に係る表示装置にあっては、前記補正手段は、前記２色の色をある比率で混ぜた色であることを第１の条件とし、明るさが前記他の色と変わらないことを第２の条件として、この第１及び第２の条件を満たすように補正することを特徴とする。
【手続補正９】
【補正対象書類名】明細書
【補正対象項目名】００１６
【補正方法】変更
【補正の内容】
【００１６】
また、請求項４記載の発明に係る表示装置にあっては、前記２色は、文字色と背景色とであることを特徴とする。
また、請求項５記載の発明に係る表示装置にあっては、前記補正手段は、所定の演算式を用いて前記補正を実行することを特徴とする。
また、請求項６記載の発明に係る表示装置にあっては、前記表示手段は、前記補正された画像をフレーム単位で異なる色により時分割表示することで各画素のＲＧＢ成分を同じ位置に表示することを特徴とする。
また、請求項７記載の発明に係る表示装置にあっては、前記表示手段は、前記補正された画像を異なる発光色により各画素のＲＧＢ成分を同じ位置に投影して表示することを特徴とする。
また、請求項８記載の発明に係る表示装置にあっては、前記取込手段により取り込まれた画像を複数の領域に分割する分割手段をさらに備え、前記第１の判断手段は、前記特定の領域として、前記分割手段により分割された各領域において、所定割合以上である２色が存在するか否かを判断することを特徴とする。
また、請求項９記載の発明に係る表示装置にあっては、前記所定割合は、８０パーセントであることを特徴とする。
【手続補正１０】
【補正対象書類名】明細書
【補正対象項目名】００１７
【補正方法】変更
【補正の内容】
【００１７】
また、請求項１０記載の発明に係る表示装置にあっては、前記ＲＧＢ画素が配列されたディスプレイ用補間技術に基づく画像部分が含まれている画像は、液晶ディスプレイ、有機ＥＬディスプレイのいずれか用の画像であることを特徴とする。
【手続補正１１】
【補正対象書類名】明細書
【補正対象項目名】００１８
【補正方法】変更
【補正の内容】
【００１８】
また、請求項１１記載の発明に係る画像表示制御プログラムにあっては、画像を表示する表示装置が有するコンピュータを、前記画像を順次取り込む取込手段と、この取込手段により取り込まれた画像中にＲＧＢ画素が配列されたディスプレイ用補間技術に基づく画像部分が含まれているか否かを判断する判断手段と、この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、この補正手段により前記画像部分が補正された画像の各画素のＲＧＢ成分を同じ位置に表示する表示手段として機能させることを特徴とする。
【手続補正１２】
【補正対象書類名】明細書
【補正対象項目名】００１９
【補正方法】変更
【補正の内容】
【００１９】
また、請求項１２記載の発明に係る及び画像表示方法にあっては、表示する画像を取り込む取込ステップと、この取込ステップにより取り込まれた画像中にＲＧＢ画素が配列されたディスプレイ用補間技術に基づく画像部分が含まれているか否かを判断する判断ステップと、この判断ステップにより、前記画像中にＲＧＢ画素が配列されたディスプレイ用補間技術に基づく画像部分が含まれていると判断された場合、前記画像部分が有する２色に基づき、当該画像部分を補正する補正ステップと、この補正ステップにより前記画像部分が補正された画像の各画素のＲＧＢ成分を同じ位置に表示する表示ステップとを含むことを特徴とする。
【手続補正１３】
【補正対象書類名】明細書
【補正対象項目名】００２０
【補正方法】変更
【補正の内容】
【００２０】
本発明によれば、ＲＧＢ画素が配列されたディスプレイ用補間技術に基づく画像であっても、偽色の発生を伴うことなく表示することができる。
【手続補正１４】
【補正対象書類名】明細書
【補正対象項目名】００４７
【補正方法】変更
【補正の内容】
【００４７】
これら第１及び第２の条件を満たす補正を行うに際しては、下記の変換式を用いることができる。
Y=C1+[{Y(X)-Y(C1)}/{Y(C2)-Y(C1)}]×(C1-C2)
ただし、
C1：文字色、背景色のうちの一方（赤成分、緑成分、青成分からなるベクトル）
Y：変換先の色（赤成分、緑成分、青成分からなるベクトル）
X：変換元の色（赤成分、緑成分、青成分からなるベクトル）
C2：文字色、背景色のうちの他方（赤成分、緑成分、青成分からなるベクトル）
Y(C)：色から明るさへの変換（ベクトルからスカラーへの変換）
Y(C)：＝0.299×［Cの赤成分］＋0.587×［Cの緑成分］＋0.114×［Cの青成分］
【手続補正１５】
【補正対象書類名】特許請求の範囲
【補正対象項目名】全文
【補正方法】変更
【補正の内容】
【特許請求の範囲】
【請求項１】
表示する画像を取り込む取込手段と、
この取込手段により取り込まれた画像中に、ＲＧＢ画素が配列されたディスプレイ用補間技術に基づく画像部分が含まれているか否かを判断する判断手段と、
この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、
この補正手段により前記画像部分が補正された画像の各画素のＲＧＢ成分を同じ位置に表示する表示手段と
を備えることを特徴とする表示装置。
【請求項２】
前記判断手段は、
特定の領域において、所定割合以上である２色が存在するか否かを判断する第１の判断手段と、
この第１の判断手段により、所定割合以上である２色が存在すると判断された場合に、それ以外の色が前記２色の境界部分に存在するか否かを判断する第２の判断手段と
を備えることを特徴とする請求項１記載の表示装置。
【請求項３】
前記補正手段は、前記２色の色をある比率で混ぜた色であることを第１の条件とし、明るさが前記他の色と変わらないことを第２の条件として、この第１及び第２の条件を満たすように補正することを特徴とする請求項１又は２記載の表示装置。
【請求項４】
前記２色は、文字色と背景色とであることを特徴とする請求項１又は２記載の表示装置。
【請求項５】
前記補正手段は、所定の演算式を用いて前記補正を実行することを特徴とする請求項１から４にいずれか記載の表示装置。
【請求項６】
前記表示手段は、前記補正された画像をフレーム単位で異なる色により時分割表示することで各画素のＲＧＢ成分を同じ位置に表示することを特徴とする請求項１から５にいずれか記載の表示装置。
【請求項７】
前記表示手段は、前記補正された画像を異なる発光色により各画素のＲＧＢ成分を同じ位置に投影して表示することを特徴とする請求項１から８にいずれか記載の表示装置。
【請求項８】
前記取込手段により取り込まれた画像を複数の領域に分割する分割手段
をさらに備え、
前記第１の判断手段は、前記特定の領域として、前記分割手段により分割された各領域において、所定割合以上である２色が存在するか否かを判断することを特徴とする請求項２記載の表示装置。
【請求項９】
前記所定割合は、８０パーセントであることを特徴とする請求項２又は３記載の表示装置。
【請求項１０】
前記ＲＧＢ画素が配列されたディスプレイ用補間技術に基づく画像部分が含まれている画像は、液晶ディスプレイ、有機ＥＬディスプレイのいずれか用の画像であることを特徴とする請求項１から９にいずれか記載の表示装置。
【請求項１１】
画像を表示する表示装置が有するコンピュータを、
前記画像を取り込む取込手段と、
この取込手段により取り込まれた画像中にＲＧＢ画素が配列されたディスプレイ用補間技術に基づく画像部分が含まれているか否かを判断する判断手段と、
この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、
この補正手段により前記画像部分が補正された画像の各画素のＲＧＢ成分を同じ位置に表示する表示手段として機能させることを特徴とする画像表示制御プログラム。
【請求項１２】
表示する画像を取り込む取込ステップと、
この取込ステップにより取り込まれた画像中にＲＧＢ画素が配列されたディスプレイ用補間技術に基づく画像部分が含まれているか否かを判断する判断ステップと、
この判断ステップにより、前記画像中にＲＧＢ画素が配列されたディスプレイ用補間技術に基づく画像部分が含まれていると判断された場合、前記画像部分が有する２色に基づき、当該画像部分を補正する補正ステップと、
この補正ステップにより前記画像部分が補正された画像の各画素のＲＧＢ成分を同じ位置に表示する表示ステップと
を含むことを特徴とする及び画像表示方法。